(57)【要約】【課題】経年劣化等による発熱を抑えることが可能な接続端子を提供する。【解決手段】接続端子１Ａは、配線ケーブル２の芯線２０が接続される端子部３を備え、端子部３は、芯線２０が挿入され、挿入された芯線２０と圧着される圧着部３０を備え、圧着部３０は、芯線２０に沿わせて挿入されるハンダ材４と共に芯線２０に圧着される。ハンダ材４は、芯線２０の端子部３に圧着される部位及びその近傍の部位における抵抗値の増加に伴い上昇する芯線２０あるいは芯線２０と端子部３の温度により溶融し得る、所定の低温で溶融するハンダ材が用いられる。【選択図】図１
2012113867.tif 000002
【特許請求の範囲】
【請求項１】
配線ケーブルの芯線が接続される端子部を備え、
前記端子部は、前記芯線が挿入され、挿入された前記芯線と圧着される圧着部を備え、
前記圧着部は、前記芯線に沿わせて挿入されるハンダ材と共に前記芯線に圧着される
ことを特徴とする接続端子。
【請求項２】
前記ハンダ材は、前記芯線と前記端子部が接続される部位における抵抗値の増加に伴い上昇する前記芯線あるいは前記芯線と前記端子部の温度により溶融し得るハンダ材が用いられる
ことを特徴とする請求項１記載の接続端子。
【請求項３】
前記芯線と非溶融の前記ハンダ材が前記圧着部に挿入され、前記ハンダ材が非溶融の状態で前記圧着部に圧着される
ことを特徴とする請求項１または２記載の接続端子。
【発明の詳細な説明】
【技術分野】
【０００１】
本発明は、プラグ、コンセント等の配線用差込接続器、圧着端子等で、端子部と配線ケーブルが接続される接続端子に関する。
【背景技術】
【０００２】
従来から、プラグ、コンセント等の配線用差込接続器、圧着端子等では、配線ケーブルの芯線と接続される部位の端子部を変形させて、芯線と端子部を接続する技術が広く用いられている。
【０００３】
これに対して、芯線を溶融したハンダ液に含浸させて補強を行い、はんだ材で補強された芯線を端子部に圧着する技術が提案されている（例えば、特許文献１参照）。
【先行技術文献】
【特許文献】
【０００４】
【特許文献１】特開２０１０−７３６３８号公報
【発明の概要】
【発明が解決しようとする課題】
【０００５】
従来の端子構造では、芯線を予め補強しておくことができるが、芯線を補強したハンダ材を溶融させて電機的導通を図るものではなく、経年劣化等による芯線と端子部が接続される箇所での発熱を抑えることができない。
【０００６】
本発明は、このような課題を解決するためになされたもので、経年劣化等による発熱を抑えることが可能な接続端子を提供することを目的とする。
【課題を解決するための手段】
【０００７】
上述した課題を解決するため、本発明は、配線ケーブルの芯線が接続される端子部を備え、端子部は、芯線が挿入され、挿入された芯線と圧着される圧着部を備え、圧着部は、芯線に沿わせて挿入されるハンダ材と共に芯線に圧着される接続端子である。
【０００８】
本発明では、芯線と端子部が接続される部位において、経年劣化による端子部の変形や芯線の部分的な断線で抵抗値が増加するような事象が発生した場合、芯線あるいは芯線と端子部の温度が上昇する。
【０００９】
芯線あるいは芯線と端子部の温度が上昇し、ハンダ材の融点以上となると、ハンダ材が溶融し、経年劣化等で芯線と端子部との間に生じた隙間、芯線の断線部位にハンダ材が流れて、ハンダ材で電気的導通が行われる。
【００１０】
これにより、芯線自体、あるいは芯線と端子部との接触部位での抵抗値が減少し、抵抗値の減少に伴い芯線あるいは芯線と端子部の温度が、ハンダ材の融点未満まで低下すると、ハンダ材が硬化する。
【発明の効果】
【００１１】
本発明によれば、簡単な構成で、芯線と端子部が接続される箇所での連続的な発熱を抑えることができる。
【図面の簡単な説明】
【００１２】
【図１】本実施の形態の接続端子の一例を示す平面図である。
【図２】本実施の形態の接続端子の一例を示す斜視図である。
【図３】本実施の形態の接続端子の接続工程の一例を示す斜視図である。
【発明を実施するための形態】
【００１３】
以下、図面を参照して、本発明の接続端子の実施の形態について説明する。
【００１４】
＜本実施の形態の圧着端子の構成例＞
図１は、本実施の形態の接続端子の一例を示す平面図、図２は、本実施の形態の接続端子の一例を示す斜視図である。
【００１５】
本実施の形態の接続端子１Ａは、プラグ、コンセント等の配線用差込接続器、圧着端子等に適用され、配線ケーブル２の芯線２０が接続される端子部３と、芯線２０と端子部３の接続部位に入れられるハンダ材４を備える。
【００１６】
配線ケーブル２は、導体である芯線２０が絶縁体である被覆材２１に被覆される形態で提供される。配線ケーブル２は、被覆材２１を所定の長さ分剥がして露出させた芯線２０が、端子部３に接続される。
【００１７】
端子部３は、用途に合わせて所定の形状に構成された導体で、ケーブル２の芯線２０が接続される圧着部３０を備える。圧着部３０は、例えば、芯線２０が載置される部位がＵ型に開口した形状、あるいはＯ型の筒状に構成され、図示しない工具で押圧されることで変形し、芯線２０と圧着されて電気的に接続される。
【００１８】
ハンダ材４は、芯線２０に沿わせて端子部３の圧着部３０に挿入され、芯線２０と共に圧着部３０の変形で圧着部３０に固定される。ハンダ材４は、通常、融点が２００℃前後であるハンダ材に対し、融点が１００℃前後の低温ハンダと称されるハンダ材が用いられる。
【００１９】
すなわち、ハンダ材４は、芯線２０の端子部３に圧着される部位及びその近傍の部位における抵抗値の増加に伴い上昇する芯線２０あるいは芯線２０と端子部３の温度により溶融し得る、所定の低温で溶融するハンダ材が用いられ、例えば、７０℃程度の低温で溶融するものが用いられる。なお、ハンダ材４の形態は、線材として提供されるもので良い。
【００２０】
＜本実施の形態の圧着端子の作用例＞
図３は、本実施の形態の接続端子の接続工程の一例を示す斜視図であり、次に、各図を参照して、芯線２０を端子部３に接続する工程について説明する。
【００２１】
まず、図３（ａ）に示すように、配線ケーブル２の先端の被覆材２１を所定の長さ分剥がして、芯線２０を露出させる。露出させる芯線２０の長さＬ１は、通常、端子部３の圧着部３０の長さＬ２より、若干長い程度とする。また、ハンダ材４を、所定の長さに切断する。本例では、ハンダ材４の長さＬ３は、圧着部３０の長さＬ２より若干長く、芯線２０の長さＬ１と同等あるいは若干短い程度とする。なお、予め所定の長さに成型あるいは切断されたハンダ材４が提供されても良い。
【００２２】
次に、図３（ｂ）に示すように、端子部３の圧着部３０に、配線ケーブル２の露出させた芯線２０を挿入すると共に、芯線２０に沿わせてハンダ材４を挿入する。そして、図示しない工具で圧着部３０を押圧し、図２に示すように、圧着部３０を変形させる。
【００２３】
これにより、圧着部３０の変形で、芯線２０とハンダ材４が端子部３に固定されると共に、圧着部３０による芯線２０の圧着で、芯線２０の外周面と圧着部３０の内週面が接触し、芯線２０と端子部３が電気的に接続される。
【００２４】
芯線２０を端子部３に接続する工程では、圧着部３０を押圧することによる圧着部３０及び芯線２０の変形で、芯線２０が端子部３に接続され、ハンダ材４が溶融するような加熱は行わない。
【００２５】
次に、本実施の形態の接続端子１Ａの作用効果例について説明する。接続端子１Ａでは、例えば、経年劣化や振動等による端子部３等の変形で、芯線２０と圧着部３０との接触面積が減少した場合、あるいは、芯線２０の一部が断線した場合、芯線２０自体、あるいは芯線２０と端子部３との接触部位での抵抗値が増加する。
【００２６】
このように、接続端子１Ａでは、芯線２０と端子部３が接続される部位において、抵抗値が増加する事象が発生した場合、芯線２０に流れる電流が、抵抗値の増加に伴い一部が熱に変換されて芯線２０あるいは芯線２０と端子部３の温度が上昇する。
【００２７】
芯線２０あるいは芯線２０と端子部３の温度が上昇し、ハンダ材４の融点以上となると、ハンダ材４が溶融し、経年劣化等で芯線２０と圧着部３０との間に生じた隙間、芯線２０の断線部位等にハンダ材４が流れて、ハンダ材４で電気的導通が行われる。
【００２８】
これにより、芯線２０自体、あるいは芯線２０と端子部３との接触部位での抵抗値が減少し、抵抗値の減少に伴い芯線２０あるいは芯線２０と端子部３の温度上昇が抑えられ、ハンダ材４の融点未満まで温度が低下すると、ハンダ材４が硬化する。従って、芯線２０と端子部３が接続される箇所での発熱が抑えられる。
【００２９】
本実施の形態の接続端子１Ａでは、芯線２０を端子部３に接続する工程では、ハンダ材４が溶融するような加熱は行わない。これにより、芯線２０を端子部３に接続する工程で、ハンダ材４を加熱する装置は不要であり、作業場所を問わずに、かつ、簡単な作業工程で、経年劣化等による発熱を抑える構成を付加することができる。特に、ハンダゴテが使えないような環境でも作業が可能である。また、この構成を実現するためには融点の低いハンダ材４を用いればよく、コストの上昇を抑えることができる。
【産業上の利用可能性】
【００３０】
本発明は、ハンダ付けを行わずに電気的導通を図る構成のプラグ、コンセント等の配線用差込接続器、圧着端子等に適用される。
【符号の説明】
【００３１】
１Ａ・・・接続端子、２・・・配線ケーブル、２０・・・芯線、２１・・・被覆材、３・・・端子部、３０・・・圧着部、４・・・ハンダ材
【図１】
2012113867.tif 000003
【図２】
2012113867.tif 000004
【図３】
2012113867.tif 000005